(57)【要約】    【課題】防犯性に優れたクレセント錠及びサッシを提供する。    【解決手段】第１の回動部３１及び第２の回動部３２は、ハンドル軸１２に取り付けられ、ハンドル軸１２を中心として回転するものであって、回転方向に間隔を隔てて配置されている。第１の回動部３１は、その回転位置に応じて、押圧バネ３６によって付勢されている作動片３３の検知窓２３の方向への摺動を制限する。第２の回動部３２は、作動片３３の位置によって、回転が阻止され、及び、許容される。【選択図】      図２
2006188901.tif 000002
【特許請求の範囲】
【請求項１】
ハンドルと、掛け部と、台座と、回転制御機構とを含むクレセント錠であって、
前記台座は、一面側に空洞部を有し、側壁に検知窓が設けられ、
前記ハンドルは、前記台座の他面側に備えられ、前記他面側から前記一面側に貫通するハンドル軸を有しており、
前記掛け部は、前記台座の他面側に備えられ、前記ハンドルと一体化されており、
前記回転制御機構は、作動片と、第１の回動部と、第２の回動部と、押圧バネとを含み、前記空洞部に備えられており、
前記作動片は、本体部と、先端部とを含んでおり、
前記本体部は、前記押圧バネによって付勢されながら前記検知窓の方向に直線的に往復摺動可能であり、
前記先端部は、前記本体部に一体に備えられ、前記検知窓から突出し又は後退するものであり、
前記第１の回動部及び前記第２の回動部は、前記ハンドル軸に取り付けられ、前記ハンドル軸を中心として回転するものであって、回転方向に間隔を隔てて配置されており、
前記第１の回動部は、その回転位置に応じて、前記作動片の前記検知窓の方向への摺動を制限し、
前記第２の回動部は、前記作動片の位置によって回転が阻止され、及び、回転が許容される、
クレセント錠。
【請求項２】
クレセント錠と、内障子と、外障子と、クレセント受とを含むサッシであって、
前記クレセント錠は、請求項１に記載されたものであり、
前記内障子は、召合せ框に、前記クレセント錠が、前記台座の部分で取り付けられており、
前記外障子は、召合せ框に前記クレセント受が備えられ、前記クレセント受は前記クレセント錠に対応する位置にあり、
前記クレセント錠は、前記外障子が前記内障子に対して正常閉鎖位置にあるとき、前記作動片の前記先端部が前記クレセント受に当接し、前記第２の回動部の回転が許容され、前記外障子が前記内障子に対して正常閉鎖位置にないとき、前記作動片により、前記第２の回動部の回転が阻止される、
サッシ。
【発明の詳細な説明】
【技術分野】
【０００１】
本発明は、クレセント錠及びサッシに関する。
【背景技術】
【０００２】
引き違い窓などのサッシには、内障子と外障子とを閉鎖位置で固定するクレセント錠が備えられている。クレセント錠は、内障子の召合せ框に固定される台座と、台座に支持されハンドルの回転運動により回転運動しつつ延出する掛け部とを有する。
【０００３】
このような構成のクレセント錠は、ハンドルの回転運動により延出した掛け部が、外障子の召合せ框に固定されたクレセント受に係合し、内障子および外障子が閉鎖した状態で施錠（ロック）される。
【０００４】
例えば、特許文献１、２は、防犯機能を高めるべく、掛け部に、内障子及び外障子が正常閉鎖位置にあるときにのみクレセント錠の施錠操作が行なえるようにするための構成（以下、回転制御機構と称する）を備えたサッシを開示している。
【０００５】
しかしながら、特許文献１、２のサッシは、人目につきやすい部分である掛け部に回転制御機構が設けられているから、サッシ全体の美観が損なわれるという問題があった。
【０００６】
また、掛け部に回転制御機構が設けられているから、回転制御機構及び掛け部の設計の自由度が制限されるという問題があった。
【特許文献１】特開平９−１５８５８４号公報
【特許文献２】特開平９−１５８５８５号公報
【発明の開示】
【発明が解決しようとする課題】
【０００７】
本発明の課題は、防犯性に優れたクレセント錠及びサッシを提供することである。
【０００８】
本発明のもう一つの課題は、内障子及び外障子が正常閉鎖位置にあるときにのみ施錠し得るクレセント錠及びサッシを提供することである。
【０００９】
本発明の更にもう一つの課題は、設計の自由度が高いクレセント錠及びサッシを提供することである。
【００１０】
本発明の更にもう一つの課題は、美観を損なうことのないクレセント錠及びサッシを提供することである。
【課題を解決するための手段】
【００１１】
上述した課題を解決するため、本発明に係るクレセント錠は、ハンドルと、掛け部と、台座と、回転制御機構とを含む。台座は、一面側に空洞部を有し、側壁に検知窓が設けられている。ハンドルは、台座の他面側に備えられ、他面側から一面側に貫通するハンドル軸を有している。前記掛け部は、前記台座の他面側に備えられ、前記ハンドルと一体化されている。
回転制御機構は、作動片と、第１の回動部と、第２の回動部と、押圧バネとを含み、空洞部に備えられている。作動片は、本体部と、先端部とを含んでいる。本体部は、押圧バネに付勢されながら検知窓の方向に直線的に往復摺動可能である。先端部は、本体部に一体に備えられ、検知窓から突出し又は後退するものである。第１の回動部及び第２の回動部は、ハンドル軸に取り付けられ、ハンドル軸を中心として回転するものであって、回転方向に間隔を隔てて配置されている。第１の回動部は、その回転位置に応じて、作動片の検知窓の方向への摺動を制限する。第２の回動部は、作動片の位置によって回転が阻止され、及び、許容される。
【００１２】
上述した本発明に係るクレセント錠は、内障子と、外障子と、クレセント受と組合されてサッシを構成する。内障子は、召合せ框に、クレセント錠が、台座の部分で取り付けられている。外障子は、召合せ框にクレセント受が備えられ、クレセント受はクレセント錠に対応する位置にある。前記クレセント錠は、前記外障子が前記内障子に対して正常閉鎖位置にあるとき、前記作動片の前記先端部が前記クレセント受に当接し、前記第２の回動部の回転が許容され、前記外障子が前記内障子に対して正常閉鎖位置にないとき、前記作動片により、前記第２の回動部の回転が阻止される。
【００１３】
上記サッシにおいて、ハンドルを回転すると、ハンドル軸に取り付けられている回転制御機構の第１の回動部及び第２の回動部が、ハンドル軸を中心として回転する。第１の回動部が回転すると、押圧バネに付勢されている作動片が、第１の回動部の回転位置に追従して、検知窓の方向に直線的に摺動する。
【００１４】
外障子が内障子に対して正常閉鎖位置にない場合、作動片の先端部は、クレセント受に当接しない。このため、作動片は、検知窓の周辺の側壁などによって制限される位置まで、深く摺動する。この作動片の位置は、第１の回動部に対して回転方向に間隔を隔てて配置された第２の回動部の回転を阻止する位置に相当する。
【００１５】
第２の回動部は、ハンドル軸に取り付けられているから、第２の回動部の回転が、作動片の位置に対応して阻止された場合、ハンドル軸に取り付けられているハンドルも、回転が阻止される。従って、外障子が内障子に対して正常閉鎖位置にない場合の空締めが回避される。
【００１６】
一方、外障子が内障子に対して正常閉鎖位置にあり、作動片の先端部がクレセント受に当接すると、そのときの作動片の位置に対しては、第２の回動部の回転が許容される。従って、ハンドルを十分に回転させ、掛け部を、クレセント受に掛け止め、施錠することができる。
【００１７】
結局、本発明に係るサッシは、内障子及び外障子が正常閉鎖位置にあるときにのみ施錠されるから、高い防犯性が実現される。
【００１８】
また、本発明に係るクレセント錠は、回転制御機構が台座の空洞部に備えられているから、掛け部と、回転制御機構とを個別的に設計することができ、設計の自由度が高くなる。
【００１９】
本発明に係るクレセント錠において、台座は一面側に空洞部を有する。ハンドルは、台座の他面側に備えられている。回転制御機構は空洞部に備えられている。この構造によれれば、掛け部等が設けられる台座の他面側の美観が損なわれることがない。
【発明の効果】
【００２０】
以上述べたように、本発明によれば、次のような効果を得ることができる。
（ａ）防犯性に優れたクレセント錠及びサッシを提供することができる。
（ｂ）内障子及び外障子が正常閉鎖位置にあるときにのみ施錠し得るクレセント錠及びサッシを提供することができる。
（ｃ）設計の自由度が高いクレセント錠及びサッシを提供することができる。
（ｄ）美観を損なうことのないクレセント錠及びサッシを提供することができる。
【００２１】
本発明の他の特徴及びそれによる作用効果は、添付図面を参照し、実施例によって更に詳しく説明する。
【発明を実施するための最良の形態】
【００２２】
図１は本発明に係るクレセント錠の一実施例を示す底面図、図２は図１に示したクレセント錠に用いられている回転制御機構の斜視図である。図示のクレセント錠は、ハンドル１１と、掛け部１３と、台座２０と、回転制御機構３０と、ねじ穴６１とを含む。
【００２３】
台座２０は、一面側に空洞部２１を有し、側壁２２に検知窓２３が設けられている。台座２０は、一般には、プラスチック成形品で構成されるが、金属薄板などによって構成してもよいし、或いは、プラスチック成形体の内側に金属薄板を沿わせたような複合構造であってもよい。検知窓２３は、側壁２２の一部を切り欠いて形成されている。ネジ穴６１は、台座２０を内障子に取付けるためのものである。
【００２４】
ハンドル１１は、台座２０の他面側に備えられ、他面側から一面側に貫通するハンドル軸１２を有している。掛け部１３は、ハンドル１１と一体化されている。従って、掛け部１３はハンドル１１の回転とともに、回転する。ハンドル１１、ハンドル軸１２及び掛け部１３には、機械的な強度が要求されるから、金属を主体とした材料によって構成することが好ましい。
【００２５】
回転制御機構３０は、作動片３３と、第１の回動部３１と、第２の回動部３２と、押圧バネ３６とを含み、空洞部２１に備えられている。まず、作動片３３は、本体部３４と、先端部３５とを含む。作動片３３は、一般には、本体部３４及び先端部３５を同体に形成したプラスチック成形品で構成されるが、金属材料のプレス成形品などであってもよい。
【００２６】
本体部３４は、押圧バネ３６に付勢されながら検知窓２３の方向に直線的に往復摺動可能である。図示の本体部３４は、上面側に押圧バネ３６を受けるバネ受部３４１を有する。バネ受部３４１は、図では、溝状になっているが、押圧バネ３６の一端を受けることができる構造であればよいのであって、突起などであってもよい。
【００２７】
また、本体部３４の前面、即ち、先端部３５を備える側には、第１の段部３４２及び第２の段部３４３が備えられている。第１の段部３４２は、側壁２２に当接して、作動片３３の動きを阻止する部分として機能する。第２の段部３４３は、第１の回動部３１によって受けられる部分であり、第１の段部３４２から距離をおいて、その後方に備えられている。更に、本体部３４の下面側には、凹部３４４が設けられている。
【００２８】
先端部３５は、本体部３４に一体に備えられ、検知窓２３から突出し又は後退するものである。図示の先端部３５は、本体部３４の側端面に突出して設けられており、先端部３５の外周面と、本外部３４の外周面との間に第１の段部３４２を生じさせてある。この段部３４２が、側壁２２に対する当接部分となることは前述したとおりである。
【００２９】
第１の回動部３１及び第２の回動部３２は、ハンドル軸１２に取り付けられ、ハンドル軸１２を中心として回転するものであって、回転方向に間隔を隔てて配置されている。第１の回動部３１は、その回転位置に応じて、作動片３３の検知窓２３の方向への摺動を制限する。第２の回動部３２は、作動片３３の位置によって回転が阻止される。図示では、ハンドル軸１２１の一端部に、板状の回転体１２２をねじ１２３によって固定し、この回転体１２２の外周部に、第１の回転部３１及び第２の回転部３２を一体に設けてある。第１の回転部３１は、回転板１２２の面に対して立ち上がるように形成されており、第２の回転部３２は、回転板１２２の面と平行に、外径方向に突出させた突起によって構成されている。第１の回転部３１と第２の回転部３２の間の間隔は、作動片３３に要求されるストローク及び作動片３３の大きさなどに対応して定まる。
【００３０】
作動片３３に対する関係では、第１の回動部３１が、本体部３４に設けた第２の段部３４３に当接して、押圧バネ３６の押圧力を受け、第１の回動部３１と第２の回動部３２との間の回転体１２２の外周縁の一部が、作動片３３の下面に設けた凹部３４４を回転するような配置関係になっている。第２の回動部３２は、回転したときに、本体部３４の後端面に突き当たってその回転が阻止されるような関係にある。
【００３１】
図示とは異なって、回転板１２２を更に小径にして、第１の回動部３１及び第２の回動部３２を長く伸ばした構造や、回転板１２２を省略して、第１の回動部３１及び第２の回動部３２を、ハンドル軸１２１から直接に突出させた構造などであってもよい。
【００３２】
更に、第２の回転部３２を、本体部３４の下面に突き当ててその回転を阻止する構造を採用することもできる。この場合には、図２の凹部３４４を、上記機能に適合するような形にすればよい。
【００３３】
また、図示は省略してあるが、作動片３３の直線運動を確実にするために、作動片３３と台座２０の空洞部２１の底面とのすり合わせ部分に、ガイド溝及びガイド突起を設けることもできる。要するに、本発明の機能を損なわない範囲において、種々の設計変更が可能である。
【００３４】
次に、図１及び図２に示したクレセント錠の理解のために、その動作について説明する。図３、図４は、本発明に係るクレセント錠の動作を説明する図である。図３はハンドル１１の回転角度がゼロ度である状態を示す図であり、図４はハンドル１１の回転が阻止された状態を示す図である。
【００３５】
まず、図３に示すように、ハンドル１１の回転角度がゼロ度であるとき、作動片３３は、押圧バネ３６に付勢されて、第２の段部３４３の部分で、第１の回動部３１に押し付けられ、検知窓２３の方向への摺動が阻止される。このとき、作動片３３の先端部３５は、検知窓２３の内側にあり、突出していないものとする。
【００３６】
次に、図３の状態から、矢印ａで示す方向に、ハンドル１１を回転させると、それに追従して、第１の回動部３１及び第２の回動部３２も回転する。第１の回動部３１の回転に追従して、作動片３３が、押圧バネ３６のバネ圧を受けながら、検知窓２３の方向に直線的に摺動する。
【００３７】
そして、ハンドル１１を、例えば４０度〜５０度だけ回転させると、図４に示すように、作動片３３の先端部３５が検知窓２３の外に大きく露出し、第１の段部３４２が押圧バネ３６のバネ圧を受けて、側壁２２に押し付けられ、作動片３３がこれ以上の直線運動ができない状態になる。
【００３８】
第２の回動部３２は、作動片３３が固定されたことにより、その後端面に突き当たるなどして回転が阻止され、これとともに、ハンドル１１の回転が阻止される。
【００３９】
ハンドル１１を逆方向に回転させれば、作動片３３に備えられた第２の段部３４３の部分が、第１の回動部３１によって押されて、逆方向に直線的に摺動し、図３の状態に復帰する。
【００４０】
次に、上述した構造及び機能を持つクレセント錠を、サッシに組み込んだ場合について説明する。図５は本発明に係るクレセント錠を組み込んだサッシの一実施例を示す正面図で、クレセント錠及びクレセント受を表示するため、外障子が内障子に対して正常閉鎖位置にないときの状態として示されている。図示のサッシは、クレセント錠１と、クレセント受５１と、内障子３と、外障子４と、窓枠５とを含む。
【００４１】
内障子３は召し合わせ框３０１の内側にガラス窓３０２などを有しており、また、外障子４も召し合わせ框４０１の内側にガラス窓４０２を有している。但し、ガラス窓であることは、必ずしも必須ではない。
【００４２】
クレセント錠１は、図１及び図２に示されたものであって、台座２０の空洞部２１が召合せ框３０１の表面と向き合う形で、内障子３の召合せ框３０１に取り付けられている。外障子４の召合せ框４０１には、クレセント受５１が備えられている。クレセント受５１はクレセント錠１に対応する位置にある。
【００４３】
クレセント受５１は、第１の受部５１１と第２の受部５１２とを有する。第１の受部５１１は、作動片３３の先端部３５を受ける部分であり、第２の受部５１２は、クレセント錠１の掛け部３を掛け止める部分である。
【００４４】
図５に示すように、外障子４が内障子３に対して正常閉鎖位置にないときは、作動片３３は、クレセント受５１から外れた位置にあるから、図６に示すハンドル１１の回転角度ゼロ度から矢印ａの方向にハンドル１１を回転させても、作動片３３の先端部３５がクレセント受５１に備えられた第１の受部５１１に当接することはない。このため、作動片３３は、図７に示すように、検知窓２３の周辺の側壁２２よって制限される位置まで、深く摺動する。この作動片３３の位置は、第２の回動部３２の回転を阻止する位置に相当する。
【００４５】
第２の回動部３２は、ハンドル軸１２１に取り付けられているから、第２の回動部３２の回転が、作動片３３の位置に対応して阻止された場合、ハンドル軸１２１に取り付けられているハンドル１１も、回転が阻止される。従って、外障子４が内障子３に対して正常閉鎖位置にない場合の空締めが回避されることになる。
【００４６】
次に、外障子４が内障子３に対して正常閉鎖位置にある場合の動作について、図８〜図１２を参照して説明する。図８は、内障子３及び外障子４が正常閉鎖位置にある場合における正面図である。
【００４７】
まず、図９に示すように、ハンドル１１を、回転角度ゼロ（図６参照）から、矢印ａの方向に回転させると、それに追従して、第１の回動部３１及び第２の回動部３２も回転する。第１の回動部３１の回転に追従して、作動片３３が、押圧バネ３６のバネ圧を受けながら、検知窓２３の方向に直線的に摺動し、先端部５が検知窓２３から外部に突出する。
ここで、内障子３及び外障子４が正常閉鎖位置にあるので、作動片３３の第１の段部３４２が側壁２２に当接するよりも前に、作動片３３の先端部３５がクレセント受５１に備えられた第１の受部５１１に当接し、作動片３３の検知窓２３の方向への摺動が停止される。即ち、作動片３３の位置が固定される。
【００４８】
この作動片３３の停止位置は、第２の回動部３２の回転を阻止しない位置に対応するもので、図１０に示すように、更にハンドル１１を回転させると、第２の回動部３２は、作動片３３の後端面に突き当たることなく、作動片３３の下側にもぐりこみ、作動片３３の下面に設けられた凹部３４４（図２参照）を通って、更に回転を継続する。
【００４９】
ハンドル１１の更なる回転操作により、図１１に図示するように、ハンドル１１と一体に構成された掛け部１３が、クレセント受５１に備えられた第２の受部５１２と係合し始める。そして、図１２に示すように、ハンドル１１を１８０度だけ回転させた状態で、掛け部１３が、クレセント受５１に備えられた第２の受部５１２と完全に係合し、施錠される。
【００５０】
したがって、本発明に係るサッシによれば、内障子及び外障子が正常閉鎖位置にあるときにのみ施錠が行われ、高い防犯性が実現される。
【００５１】
また、本発明に係るクレセント錠において、台座２０は一面側に空洞部２１を有する。ハンドル１１は、台座２０の他面側に備えられている。回転制御機構３０は空洞部２１に備えられている。このように、本発明に係るクレセント錠は、回転制御機構３０が台座２０の一面側の空洞部２１に備えられるから、掛け部等が設けられる台座２０の他面側の美観が損なわれることがない。
【００５２】
また、本発明に係るクレセント錠は、回転制御機構３０が台座２０の空洞部２１に備えられているから、掛け部と、回転制御機構３０とを個別的に設計することができ、設計の自由度が高くなる。
【００５３】
以上、好ましい実施例を参照して本発明の内容を具体的に説明したが、本発明の基本的技術思想及び教示に基づいて、当業者であれば、種々の変形態様を採り得ることは自明である。
【図面の簡単な説明】
【００５４】
【図１】本発明に係るクレセント錠の一実施例を示す底面図である。
【図２】図１に示したクレセント錠に含まれる回転制御機構の斜視図である。
【図３】本発明に係るクレセント錠の動作を説明する図である。
【図４】本発明に係るクレセント錠の動作を説明する別の図である。
【図５】本発明に係るクレセント錠を組み込んだサッシの状態を示す正面図である。
【図６】図５に示した状態のサッシにおけるクレセント錠の動作を示す図である。
【図７】図５に示した状態のサッシにおけるクレセント錠の動作を示す図である。
【図８】本発明に係るクレセント錠を組み込んだサッシの別の状態を示す正面図である。
【図９】図８に示した状態のサッシにおけるクレセント錠の動作を示す図である。
【図１０】図９の後のクレセント錠の動作を示す図である。
【図１１】図１０の後のクレセント錠の動作を示す図である。
【図１２】図１１の後のクレセント錠の動作を示す図である。
【符号の説明】
【００５５】
１１              ハンドル
１３              掛け部
２０              台座
２１              空洞部
２３              検知窓
３              回転制御機構
３１              第１の回動部
３２              第２の回動部
３３              作動片
３４              本体部
３５              先端部
【図１】
2006188901.tif 000003
【図２】
2006188901.tif 000004
【図３】
2006188901.tif 000005
【図４】
2006188901.tif 000006
【図５】
2006188901.tif 000007
【図６】
2006188901.tif 000008
【図７】
2006188901.tif 000009
【図８】
2006188901.tif 000010
【図９】
2006188901.tif 000011
【図１０】
2006188901.tif 000012
【図１１】
2006188901.tif 000013
【図１２】
2006188901.tif 000014